(57)【要約】【課題】環状進退部材の前端部外周に化粧リングを嵌合固定する小径段部を形成し、内周面に内側環状部材のフォロアを嵌合させる直線溝を形成するレンズ鏡筒の環状部材構造において、漏光のおそれなく、かつ直線溝の有効長を確保しながら環状進退部材の光軸方向長を抑えることができるレンズ鏡筒の環状部材構造を得る。【解決手段】  環状進退部材の内周面の直線溝の前端部を、該環状進退部材を展開して見たとき半円形状とし、直線溝の底部と光軸との距離は、上記小径段部の光軸中心半径よりも小さくし、かつ環状進退部材を展開して透視して見たとき、直線溝前端部の半円形状が、上記小径段部の後端エッジ部を規定する直線より前方に位置し、または同直線に接する位置関係にあるレンズ鏡筒の環状部材構造。【選択図】図７
2013148741.tif 000002
【特許請求の範囲】
【請求項１】
光軸方向に進退する環状進退部材と、
上記環状進退部材の前端部外周に形成された小径段部に嵌合固定されるリングと、
上記環状進退部材の内周面に形成された光軸と平行な直線溝に嵌まるフォロアを有する内側環状部材と、
を有するレンズ鏡筒において、
上記環状進退部材の内周面の直線溝の前端部を、該環状進退部材を展開して見たとき半円形状としたこと、
上記直線溝の底部と光軸との距離は、上記小径段部の光軸中心半径よりも小さいこと、及び
上記環状進退部材を展開して透視して見たとき、上記直線溝前端部の半円形状が、上記小径段部の後端エッジ部を規定する直線より前方に位置し、または同直線に接する位置関係にあること、
を特徴とするレンズ鏡筒の環状部材構造。
【請求項２】
請求項１記載のレンズ鏡筒の環状部材構造において、上記環状進退部材は、回転しながら光軸方向に進退する回転環状進退部材であり、上記内側環状部材は、該回転環状進退部材の回転に伴い、上記直線溝及びフォロアにより同回転が伝達される被動回転部材であるレンズ鏡筒の環状部材構造。
【請求項３】
請求項１または２記載のレンズ鏡筒の環状部材構造において、上記小径段部には、該小径段部に上記リングを接着する接着剤を挿入する切欠が形成されているレンズ鏡筒の環状部材構造。
【発明の詳細な説明】
【技術分野】
【０００１】
本発明は、レンズ鏡筒に関し、特に複数の環状部材を組み合わせる環状部材構造に関する。
【背景技術】
【０００２】
レンズ鏡筒は、複数の環状部材を組み合わせて構成されている。例えば、外観に露出して光軸方向に進退する環状進退部材の前端部外周に小径段部を形成してその小径段部に化粧リングを嵌合固定する一方、同環状進退部材の内周面には光軸と平行な直線溝を形成して、この直線溝に、内側環状部材から径方向に突出させたフォロアを嵌合させる環状部材構造が用いられている。直線溝は内側環状部材に対する回転伝達溝として、あるいは直進案内溝として用いられる。
【先行技術文献】
【特許文献】
【０００３】
【特許文献１】実公平７-２７４５１号公報
【特許文献２】特開２００６-３３７５６３号公報
【特許文献３】特開２００９-２２２８７３号公報
【発明の概要】
【発明が解決しようとする課題】
【０００４】
この環状部材構造では、直線溝の前端部を小径段部まで伸ばして貫通させる態様と、直線溝の前端部を小径段部に達しない長さ（位置）に形成する態様とがある。しかし、前者は、貫通部分とリングとの隙間から漏光するおそれがあり、後者は、直線溝の有効長が制限され、あるいは環状進退部材の光軸方向長が長くなるという問題がある。
【０００５】
本発明は従って、環状進退部材の前端部外周に化粧リングを嵌合固定する小径段部を形成し、内周面に内側環状部材のフォロアを嵌合させる直線溝を形成するレンズ鏡筒の環状部材構造において、漏光のおそれなく、かつ直線溝の有効長を確保しながら環状進退部材の光軸方向長を抑えることができるレンズ鏡筒の環状部材構造を得ることを目的とする。
【課題を解決するための手段】
【０００６】
本発明は、光軸方向に進退する環状進退部材と、上記環状進退部材の前端部外周に形成された小径段部に嵌合固定されるリングと、上記環状進退部材の内周面に形成された光軸と平行な直線溝に嵌まるフォロアを有する内側環状部材と、を有するレンズ鏡筒において、上記環状進退部材の内周面の直線溝の前端部を、該環状進退部材を展開して見たとき半円形状としたこと、上記直線溝の底部と光軸との距離は、上記小径段部の光軸中心半径よりも小さいこと、及び上記環状進退部材を展開して透視して見たとき、上記直線溝前端部の半円形状が、上記小径段部の後端エッジ部を規定する直線より前方に位置し、または同直線に接する位置関係にあること、を特徴としている。
【０００７】
上記環状進退部材は、回転しながら光軸方向に進退する回転環状進退部材とすることができ、上記内側環状部材は、該回転環状進退部材の回転に伴い、上記直線溝及びフォロアにより同回転が伝達される被動回転部材とすることができる。
【０００８】
上記小径段部には、該小径段部に上記リングを接着する接着剤を挿入する切欠を形成することができる。
【発明の効果】
【０００９】
本発明によれば、環状進退部材の前端部外周に化粧リングを嵌合固定する小径段部を形成し、内周面に内側環状部材のフォロアを嵌合させる直線溝を形成するレンズ鏡筒の環状部材構造において、漏光のおそれなく、かつ直線溝の有効長を確保しながら環状進退部材の光軸方向長を抑えることができる。
【図面の簡単な説明】
【００１０】
【図１】本発明を適用したズームレンズ鏡筒の収納（沈胴）状態の縦断面図である。
【図２】同ズームレンズ鏡筒のワイド端撮影状態の上半縦断面図である。
【図３】同ズームレンズ鏡筒のテレ端撮影状態の上半縦断面図である。
【図４】同ズームレンズ鏡筒の分解斜視図である。
【図５】同ズームレンズ鏡筒のヘリコイド環単体の部分展開図である。
【図６】図５のVI-VI線に沿う断面図である。
【図７】図５のVII部拡大図である。
【図８】図７のVIII-VIII線に沿う断面図である。
【図９】図７のIX-IX線に沿う断面図である。
【発明を実施するための形態】
【００１１】
最初に図１ないし図４により、本発明を適用したズームレンズ鏡筒１０の主たる構成要素を説明する。図１は収納状態の縦断面図、図２はワイド端における上半縦断面図、図３はテレ端における上半縦断面図、図４は分解斜視図である。図２、図３に示すように、撮影時におけるズームレンズ鏡筒１０の撮影光学系は、物体側から順に第１レンズ群Ｌ１、第２レンズ群Ｌ２、シャッタ３４（絞）、第３レンズ群（退避光学要素）Ｌ３、第４レンズ群Ｌ４、赤外線カットフィルタ１１及びＣＭＯＳセンサ（固体撮像素子）１２からなっている。この撮影光学系の光軸をＺ１で示す。ズーミングは、第１レンズ群Ｌ１、第２レンズ群Ｌ２、第３レンズ群Ｌ３を撮影光軸Ｚ１方向に所定の軌跡で進退させることによって行い、フォーカシングは同方向への第４レンズ群Ｌ４の移動で行う。なお、以下の説明中で「光軸方向」は、撮影光軸Ｚ１と平行な方向を含み、「直進案内」は光軸方向の直進案内を意味する。また「前」、「後」は、被写体側、撮像面側をそれぞれ意味する。
【００１２】
ズームレンズ鏡筒１０は図示しないカメラボディ内に搭載されており、該カメラボディに対して固定される固定環１３と、この固定環１３の後部に固定される撮像素子ホルダ１４を備えている。撮像素子ホルダ１４の中央部にはＣＭＯＳセンサ１２が固定され、ＣＭＯＳセンサ１２の前部に赤外線カットフィルタ１１が保持されている。
【００１３】
固定環１３内には、第４レンズ群Ｌ４を保持するＡＦレンズ枠（４群枠）１７が光軸方向に直進移動可能に支持されている。ＡＦレンズ枠１７は、固定環１３とＣＣＤホルダ１４の間に撮影光軸Ｚ１と平行に固定した一対のＡＦガイド軸１８にガイドされており、このＡＦガイド軸１８に対してそれぞれ、ＡＦレンズ枠１７に形成したガイド孔（ガイド溝）が摺動可能に嵌まっている。
【００１４】
ＡＦレンズ枠１７は、ＡＦモータ１９の駆動力によって光軸方向へ進退される。ＡＦモータ１９のドライブシャフトに形成した送りねじに対し、ＡＦナット２０が螺合している。ＡＦレンズ枠１７は、ＡＦナット２０に対して光軸方向へ摺動可能に係合し、かつＡＦ枠付勢ばね２１によって前方へ付勢されており、この付勢力でＡＦナット２０に当て付くことによってＡＦレンズ枠１７の前方移動端が決定される。そして、ＡＦナット２０が光軸方向後方へ移動したときに、ＡＦレンズ枠１７はＡＦナット２０に押圧されて後方へ移動される。以上の構造により、ＡＦモータ１９のドライブシャフトを正逆に回転させると、ＡＦレンズ枠１７が光軸方向に進退される。
【００１５】
固定環１３には、撮影光軸Ｚ１と軸線を平行にしたズームギヤ（長尺ピニオン）２２が回転可能に支持されている。ズームギヤ２２は、固定環１３の内周面側に露出するように位置されており、ズームモータ２３及びギヤ列２４によって正逆に回転される。
【００１６】
固定環１３の内周面には、雌ヘリコイド１３ａと、光軸と平行な直進案内溝１３ｂが形成されている。この固定環１３の雌ヘリコイド１３ａにはヘリコイド環（第１進退筒）２５の雄ヘリコイド２５ａが螺合されており、直進案内溝１３ｂには、ヘリコイド環２５の内周に位置する直進案内環２６の径方向突起２６ａが係合している。このヘリコイド環２５と直進案内環２６は、相対回転は自在に光軸方向には一緒に移動するように結合されている。すなわち、直進案内環２６の外周面に形成した案内突起２６ｂは、ヘリコイド環２５の内周面に形成した周方向案内溝２５ｂ（図５）に係合している。
【００１７】
ヘリコイド環２５の外周一部には、上述のズームギヤ２２と噛み合うギヤが形成されていて、このヘリコイド環２５の内周面には、光軸と平行な回転伝達溝２５ｃ（図５）が形成されている。直進案内環２６の内周に嵌めたカム環２７には径方向に突出するフォロア２７ａが設けられており、このフォロア２７ａは、直進案内環２６のカム溝２６ｃを貫通した後、ヘリコイド環２５の回転伝達溝２５ｃに嵌まっている。つまり、ズームギヤ２２を介してヘリコイド環２５が回転すると、フォロア２７ａを介してカム環２７に回転が伝達される。カム環２７の光軸方向の位置は、直進案内環２６の光軸方向の位置及びカム溝２６ｃの形状によって定まる。
【００１８】
カム環２７にはその外周面に、第１レンズ群Ｌ１を支持した１群枠２８とバリア２９を支持したバリア支持筒（第３進退筒）３０の移動軌跡を定める外面カム溝２７ｂ１と２７ｂ２が形成され、内周面に、第２レンズ群Ｌ２を支持した２群枠３１の移動軌跡を定める内面カム溝２７ｃが形成されている。
【００１９】
他方、カム環２７の外周には、直進案内環２６によって直進案内された第２進退筒３２が位置している。この第２進退筒３２とカム環２７は、相対回転は自在で光軸方向には一緒に移動するように結合されている。また、１群枠２８、バリア支持筒３０及び２群枠３１は、直接または間接に第２進退筒３２に直進案内されており、カム環２７の回転によって、１群枠２８、バリア支持筒３０及び２群枠３１が光軸方向に進退する。
【００２０】
また、カム環２７の内周には、第３レンズ群Ｌ３を支持した３群支持環３３が位置している。この３群支持環３３は、カム環２７に相対回転は自在に光軸方向には一緒に移動するように結合されており、かつ、２群枠３１に直進案内されている。
【００２１】
３群支持環３３の前方には、シャッタ３４とばね受け環状板３５が固定されており、ばね受け環状板３５の前方には、一対の群間ばね（圧縮コイルばね）３６と３７に挟まれた軸方向移動絞りリング３８が位置している。軸方向移動絞りリング３８は、３群環３３に直進案内されており、前方の群間ばね３６の前端部は２群枠３１に支持（当接）している。
【００２２】
３群支持環３３の後方（後面）には、カメラに加わる手ブレを相殺する方向に光軸直交面内で駆動される防振ベース４０が支持されている。第３レンズ群Ｌ３を支持した３群枠４２は、この防振ベース４０上の光軸と平行な光軸外の軸４１を中心に揺動可能に支持されている。４３は３群支持環３３との間に防振ベース４０を支持する防振カバーである。３群枠４２は、図２、図３の撮影状態ではその第３レンズ群Ｌ３を光軸上に保持し、図１の収納状態では光軸から脱した収納位置に移動される。これらの防振機構及びレンズ群挿脱機構の詳細は公知であり、本発明の要旨と関係がないので、具体的な構成の説明を省略する。
【００２３】
本実施形態は、以上のヘリコイド環（第１進退筒、回転環状進退部材）２５と、その内側に位置するカム環（内側環状部材）２７との間に適用したものであり、その詳細を図５ないし図９について説明する。
【００２４】
合成樹脂材料の成形品からなるヘリコイド環２５の前端部外周には、小径段部２５１が形成されている。この小径段部２５１の光軸Ｚ１からの距離（光軸中心半径）はｒ（図８、図９）であり、その後端エッジ２５１ｒは、光軸に直交する平面内に位置する線環状（展開したとき直線）をなしている。展開状態の後端エッジ２５１ｒの直線は回転伝達溝２５ｃ（の方向）と直交する関係にある。この小径段部２５１には、金属製のリング（化粧外観環状部材）２５２（図４にも表れている）が嵌合固定される。小径段部２５１には、この小径段部２５１にリング２５２を接着する接着剤を挿入する切欠２５３（図５）が周方向に間隔をおいて複数形成されている。
【００２５】
一方、ヘリコイド環２５の内周面の回転伝達溝（直線溝）２５ｃは、一様深さに形成されており、その底部の光軸Ｚ１からの距離はｑ（図８、図９）である。そして、この距離ｑは、小径段部２５１の上記の半径ｒより小さい（ｑ＜ｒ）。この関係により、回転伝達溝２５ｃと小径段部２５１とが連通（貫通）することはない。
【００２６】
回転伝達溝２５ｃの前端部は、図５、図７に示すように、ヘリコイド環２５を展開して見たとき、半円形状２５ｃｆをなしている。この半円形状２５ｃｆの径は円柱状のフォロア２７ａの径に対応している。そして、ヘリコイド環２５を展開して透視して見たときには、この回転伝達溝２５ｃ前端部の半円形状２５ｃｆは、小径段部２５１の後端部を規定する直線２５１ｒより前方に位置している。あるいは、半円状部２５ｃｆは同直線２５１ｒと接するように位置させることもできる。すなわち、図８の実線では、半円形状２５ｃｆの先端部が直線２５１ｒより前方に位置する位置関係を描いているが、図８に鎖線で示すように、半円形状２５ｃｆの前端部を直線２５１ｒに接するように位置させてもよい。このように、回転伝達溝２５ｃの前端部の半円形状２５ｃｆと小径段部２５１の後端エッジ部２５１ｒの位置関係を定めることにより、ヘリコイド環２５の光軸方向長を長くすることなく、回転伝達溝２５ｃの有効長を確保することができる。また、回転伝達溝２５ｃの前端部を半円形状２４ｃｆとすることにより、後端エッジ部２５１ｒとの薄肉の部分を最小とすることができる。なお、「半円」とは厳密な幾何学上の半円を意味するものではなく、フォロア２７ａの形状に沿う円弧形状程の意味である。
【００２７】
以上の実施形態は、回転環状進退部材であるヘリコイド環２５と、その内側に位置する内側環状部材（被動回転部材）であるカム環２７の間に本発明を適用したものであるが、本発明は、回転せずに光軸方向に進退する環状進退部材と、その内側に位置して、直進溝により直進案内される内側環状部材との間にも適用可能である。
【符号の説明】
【００２８】
Ｚ１ 撮影光軸
１０ ズームレンズ鏡筒
２５  ヘリコイド環（回転環状進退部材）
２５ｃ  回転伝達溝（直線溝）
２５ｃｆ  半円形状
２５１  小径段部
２５１ｒ  後端エッジ（直線）
２５２  リング
２５３  切欠
２７  カム環（内側環状部材、被動回転部材）
２７ａ  フォロア
【図１】
2013148741.tif 000003
【図２】
2013148741.tif 000004
【図３】
2013148741.tif 000005
【図４】
2013148741.tif 000006
【図５】
2013148741.tif 000007
【図６】
2013148741.tif 000008
【図７】
2013148741.tif 000009
【図８】
2013148741.tif 000010
【図９】
2013148741.tif 000011